(57)【要約】【目的】電子カメラのレンズ直前に、複数個の光学部品を一度に簡易取付け可能にし、その中の任意の部品を自由に選択することにより、撮影に特殊な効果あるいは変化を持たせる機能を提供する。【構成】電子カメラのレンズ面に鉄板８を取付け、複数の光学部品取付け用のアッタチメントホルダ１を有する回転台１１を、磁石９により電子カメラに着脱する機構による。【選択図】      図１
2004309988.tif 000002
【特許請求の範囲】
【請求項１】
電子カメラにおいて、複数の拡張撮影用光学部品の取付けを可能にする架台を設け、その底面部に取付けた磁石と、カメラ本体に設けた鉄板などの金属部材とを、磁力により接合取付けし着脱可能にする方法。
【請求項２】
請求項１に示す架台の底面部を鉄板とし、カメラ本体に磁石を設けるか、前記接合部が全て磁石から構成される、磁力による接合方法。
【請求項３】
電子カメラにおいて、複数の光学部品を一度に取付けを可能にする架台を設け、架台に回転可能な機構を設けることにより、任意の光学部品をカメラ用レンズの中心位置に回転移動させ、固定する方法。
【請求項４】
電子カメラにおいて、複数の光学部品を一度に取付けを可能にする架台を設け、架台のスライド機構を設けることにより、任意の光学部品をカメラ用レンズの中心位置にスライド移動させ、固定する方法。
【請求項５】
請求項１，２，３，４に示す光学部品は、カメラ撮影に特殊な効果をもたらすことの出来る部材であり、倍率拡大用レンズ、ズーム機構を持つレンズ、偏光板、プリズム板、ホログラフィー板を含めたもの。
【発明の詳細な説明】
【０００１】
【産業上の利用分野】
本発明はデジタルカメラ、携帯用カメラを含めた電子カメラにおいて、通常の組み込みレンズに加え撮影時にさらに変化に富んだ撮影が可能であるような、付加機能を取付けるための取付け方法、手段に関するものである。
【０００２】
【従来の技術】
従来、カラーフィルター、クローズアップ用のレンズの様な拡張撮影用の光学部品を通常の口径のカメラに取付ける方法は、カメラのレンズヘッド部分にネジにより着脱する方式が用いられてきた。又、特に最近の電子カメラなどでは、小型化に伴いレンズのヘッド部分の形、寸法などがさまざまで、取付け寸法がカメラごとに異なり複雑化する。従って、単一の、拡張撮影用光学部品をカメラにテープ貼り付け、あるいは、マグネットなどにより簡易的に着脱する方法が考えられていた。
【０００３】
【非特許文献】
実開平７−２６８３３号公報
【０００４】
【発明が解決しようとしている課題】
上記の方法により、拡張撮影用の光学部品を電子カメラに着脱する場合、一個ずつ部品を装着しているが、その種類が多い場合には作業が面倒であるし、又、より多機能である方が撮影者にとって好ましい。本発明では、この操作を簡単にするためマグネットを用い、且つ複数の光学部品をカメラに一度に装着する方法を考えた。
【０００５】
【課題を解決するために手段】
上記目的を達成するために小型電子カメラでは、本体部分と磁力で着脱する拡張撮影光学部品取付け用の、架台を考えた。多種類の光学部品は、架台上に設けられた取付け穴位置に固定され、撮影時には選択的にカメラのレンズの前に移動し、設置される。
【０００６】
【作用】
上記のように構成された拡張撮影用光学部品を取付け固定位置にはめ込み、回転機構、あるいはスライド機構を含めた種々の機構により、選択された部品をカメラのレンズの直前に移動する。これにより、各仕様に応じた撮影が可能となる。
【０００７】
【実施例】
実施例について図面を参照して説明する。図１は本発明における、拡張撮影光学部品による撮像原理を示す。この例では、光学部品はアッタチメントホルダ１の内部に収納される、拡大、ズームレンズ４の様なレンズ系からなるもの、及びカラーフィルタ、偏光板５の様な画像変調用部品、あるいは特殊効果を持たせるプリズム、撮影合成用のパターンの様なシート状部品が考えられる。入射光はこれらの光学部品を通過後、カメラレンズ２により、ＣＣＤあるいはＣ−ＭＯＳなどのセンサー３に結像することにより、それぞれの効果が撮影に発揮される。
【０００８】
図２はこの発明の主要な適用例であり、光学部品をカメラ付き携帯電話６にマグネットにより取付けた例で、（ａ）が本体取付けの正面図、（ｂ）がその側面図を示す。図で１に収納された種々の拡張撮影用光学部品は、回転台１１の多数の穴に嵌め込み固定し、交換に際し着脱が可能である。軸受け１０は１１の回転保持用であり、磁石９に固定される。９に示す磁石は、埋め込み又は張付け方法により本体カメラ側に固定された鉄板８と、強力な磁力により結合する。これは磁力接合によるものであるから、原理的に図の部品９と８の両方が磁石であっても良いし、逆に部品９が鉄板で８が磁石であってもよく、磁力の強度、機構、簡便さにより適した方法が取られる。又、８は鉄以外の物質で磁性体により磁化しうる磁力による機能を持つ、合金材料を用いることも考えられる。又、８の個所は図のような部分的に設置されたものでなく、６の電話カバー全体が、磁性体と合体可能な鉄あるいは合金素材により作られたものであっても良い。このように、１、９，１０，１１の構成からなる部品は、操作時に互いに外れたり脱落しない固定機構を持ち、本体部に合体する。図２の（ａ）に示すような回転台１１に設けられた複数の穴位置に、アタッチメントホルダ１の拡張撮影光学部品を挿入する。これにより、撮影時に従来のように光学部品をいちいち着脱しなくても、本発明による回転動作により、瞬時に部品の選択が可能となる。むろんこれは概略図であり、製品化に際し図に記されてない回転位置止め，ストッパー，落下防止などの細かな機構も必要となる。従来の電子カメラに関する外部取付け拡張部品は、拡大用レンズあるいはズームレンズなどが主に用いられ、その種類は少ない。しかし本発明により、取付け部品により多様性を持たせることができるので、撮影により多くの効果を待たせ、電子カメラの用途、市場の開発に貢献することが期待される。その例として、例えばプリズム形状の板を取付けることにより、光の回折効果によるいわゆる虹色に染まった描写の撮影可能で、趣味、芸術的な効果を生み出す。また、産業上でも偏光板の挿入による観察像のコントラストの増強、構造の変化などの観測、カラーフィルターの挿入による画像効果、処理などが容易に撮影可能となる。これらの画像は携帯電話用の無線アンテナ７によって伝送される。図３本発明の基本となる部分を分かりやすく示すため、３次元的な立体的モデルで示した図である。
【０００９】
図４は、前記の回転台１１による部品取付け回転機構をスライドする機構に変え、磁力によりカメラ本体部と接合する方法を示したものである。図４の（ａ）は、その正面図で図４の（ｂ）は側面図を示す。図４で、固定台１３は軸受け１０に相当し、スライド架台１２は回転台１１に相当する。このスライド機構により、１２の複数の穴位置に設置された光学部品の中から、即座に拡張撮影光学部品を選択することが出来る。図５は、図４のスライド部分のみを立体的に分かりやすく示し、加えてバネ板押え１４とそのネジ止め１５を設けた構図を示す。これによりスライド板１２の外れ防止機構が工夫されている。部品１２と１３は、磁力により容易に接合する機構のものであっても良い。以上の図では、カメラ付き携帯用電話を例に、本発明により取付け機構を示したものである。これらの方法は、少し大型で高画質なＣＣＤあるいはＣ−ＭＯＳを用いたデジタルカメラに対しても適用可能なものであり、デジタルカメラの市場拡大にも役立てることを目的としている。
【００１０】
【発明の効果】
本発明は、上記の通りに構成されているので、下記に記載される効果を生む。従来の取付け方法と異なり、磁力により、一度に多くの光学部品をカメラ本体に容易に取付け、着脱する方法が可能になった。その際、固定台に取付けられた多数の光学部品は、回転あるいはスライド機構により、電子カメラ本体のレンズ部直前に選択的に配置することが可能となった。これにより従来の写真に加え新たな特殊画像が可能となり、趣味の世界に限らず、産業用計測、画像処理などの分野にも小型電子カメラの応用分野が拡大でき、市場の展開に大いに貢献することが期待される。
【図面の簡単な説明】
【図１】種々の拡張光学部品取付けによる撮像の原理図
【図２】光学部品を回転選択し、カメラに磁石取付けをする機構図。
【図３】回転機構の概略立体図
【図４】光学部品をスライド選択し、カメラに磁石取付けをする機構図。
【図５】スライド機構の概略立体図
【符号の説明】
１  アタッチメントホルダ
２  カメラレンズ
３  センサー
４  拡大、ズームレンズ
５  カラーフィルタ、偏光板
６  カメラ付き携帯電話
７  アンテナ
８  鉄板
９  磁石
１０軸受
１１回転台
１２スライド架台
１３固定台
１４バネ板押え
１５ネジ止め
【図１】
2004309988.tif 000003
【図２】
2004309988.tif 000004
【図３】
2004309988.tif 000005
【図４】
2004309988.tif 000006
【図５】
2004309988.tif 000007